(57)【要約】【課題】  フラットパネルディスプレイの表現力を活かし、ユーザの多様なニーズに対応することが可能な表示装置を提供する。【解決手段】  車両に搭載される表示装置１０は、少なくとも車室内の運転席から中央部に至る大きさの表示部を有し、この表示部に少なくとも車両情報を含む画像を表示可能な表示手段１７と、前記表示部に表示される前記画像に対してジェスチャ操作が可能な操作手段１１と、前記ジェスチャ操作に応じて表示手段１７における表示内容を変更可能な制御手段１５と、を備えてなるものである。【選択図】  図１
2014008818.tif 000002
【特許請求の範囲】
【請求項１】
少なくとも車室内の運転席から中央部に至る大きさの表示部を有し、この表示部に少なくとも車両情報を含む画像を表示可能な表示手段と、
前記表示部に表示される前記画像に対するジェスチャ操作が可能な操作手段と、
前記ジェスチャ操作に応じて前記表示手段における表示内容を変更可能な制御手段と、を備えてなることを特徴とする表示装置。
【請求項２】
前記制御手段は、前記表示内容として、情報、言語、サイズ、色、形状、位置あるいは背景の少なくともいずれかを変更可能であることを特徴とする請求項１に記載の表示装置。
【請求項３】
音声入力手段と音声出力手段とを備え、
前記制御手段は、前記音声入力手段を介して入力される所定の音声操作あるいは前記ジェスチャ操作に応じて前記表示手段及び／あるいは前記音声出力手段に用いる言語を変更可能であることを特徴とする請求項１又は請求項２に記載の表示装置。
【請求項４】
外部記憶媒体から画像データ及び／あるいは音声データを取得可能であることを特徴とする請求項１から請求項３のいずれかに記載の表示装置。
【請求項５】
前記表示手段は、前記車室内の前記運転席から助手席に至る大きさの前記表示部を有することを特徴とする請求項１から請求項４のいずれかに記載の表示装置。
【請求項６】
前記制御手段は、前記車両情報に基づいて車両が走行中であるかを判定し、前記車両が走行中であると判定される場合は、前記表示内容の変更を含む前記ジェスチャ操作に応じた機能の一部あるいは全部を制限することを特徴とする請求項１から請求項５のいずれかに記載の表示装置。
【発明の詳細な説明】
【技術分野】
【０００１】
本発明は、車両に搭載される表示装置に関するものである。
【背景技術】
【０００２】
従来の車両に搭載される表示装置として、例えば、特許文献１に開示されるものがある。この表示装置はフラットパネルディスプレイを用いて車両情報を表示するものである。
【先行技術文献】
【特許文献】
【０００３】
【特許文献１】特開２００８−２５４５３９号公報
【発明の開示】
【発明が解決しようとする課題】
【０００４】
しかしながら、検出技術や通信技術の発達によって表示可能となった多種多様の情報のうちユーザが必要とする情報は個人の嗜好や性別あるいは年齢などによって大きく異なるものの、特許文献１記載の表示装置では表示内容が固定されているためユーザの多様なニーズに対応できないといった問題点があった。
【０００５】
そこで本発明は、フラットパネルディスプレイの表現力を活かし、ユーザの多様なニーズに対応することが可能な表示装置を提供することを目的とするものである。
【課題を解決するための手段】
【０００６】
本発明は、前述の課題を解決するために、少なくとも車室内の運転席から中央部に至る大きさの表示部を有し、この表示部に少なくとも車両情報を含む画像を表示可能な表示手段と、前記表示部に表示される前記画像に対するジェスチャ操作が可能な操作手段と、前記ジェスチャ操作に応じて前記表示手段における表示内容を変更可能な制御手段と、を備えてなることを特徴とする。
【０００７】
また、前記制御手段は、前記表示内容として、情報、言語、サイズ、色、形状、位置あるいは背景の少なくともいずれかを変更可能であることを特徴とする。
【０００８】
また、音声入力手段と音声出力手段とを備え、前記制御手段は、前記音声入力手段を介して入力される所定の音声操作あるいは前記ジェスチャ操作に応じて前記表示手段及び／あるいは前記音声出力手段に用いる言語を変更可能であることを特徴とする。
【０００９】
また、外部記憶媒体から画像データ及び／あるいは音声データを取得可能であることを特徴とする。
【００１０】
また、前記表示手段は、前記車室内の前記運転席から助手席に至る大きさの前記表示部を有することを特徴とする。
【００１１】
また、前記制御手段は、前記車両情報に基づいて車両が走行中であるかを判定し、前記車両が走行中であると判定される場合は、前記表示内容の変更を含む前記ジェスチャ操作に応じた機能の一部あるいは全部を制限することを特徴とする。
【発明の効果】
【００１２】
本発明によれば、フラットパネルディスプレイの表現力を活かし、ユーザの多様なニーズに対応することが可能となる。
【図面の簡単な説明】
【００１３】
【図１】本発明の実施形態である表示装置の構成を示すブロック図。
【図２】同上表示装置の概観を示す図。
【図３】同上表示装置の表示例を示す図。
【図４】同上表示装置の表示例を示す図。
【図５】同上表示装置の表示例を示す図。
【発明を実施するための形態】
【００１４】
以下、本発明を適用した実施形態を添付図面に基づいて説明する。図１は、本実施形態である車両に搭載される表示装置１０の電気的構成を示すブロック図である。図２は、表示装置１０の概観を示す図であり、表示装置１０は、車室内前方のインストルメントパネル（以下、インパネという）Ｄ内に配置されている。表示装置１０は、図１に示すように、タッチパネル（操作手段）１１と、マイク（音声入力手段）１２と、外部接続端子１３と、通信手段１４と、制御手段１５と、記憶手段１６と、表示手段１７と、スピーカ（音声出力手段）１８と、を備える。また、制御手段１５は、車両に搭載される車載装置であるＥＣＵ（Engine  Control  Unit）２０、エアコン装置３０、オーディオ装置４０及びナビゲーション装置５０とＣＡＮ（Controller  Area  Network）などの相互接続された機器間のデータ通信仕様に応じた多重通信ラインＳを介して接続され、ＥＣＵ２０、エアコン装置３０、オーディオ装置４０及びナビゲーション装置５０から車両情報（車速やエンジン回転数等の車両の状態に関する各種情報）、空調管理情報、音響管理情報及びナビゲーション情報を取得し、また、エアコン装置３０、オーディオ装置４０及びナビゲーション装置５０の動作制御を行う。
【００１５】
タッチパネル１１は、本発明の操作手段の一例であり、例えば静電容量式のタッチパネルからなる。タッチパネル１１は、表示手段１７の表示部１７ａ上に配置され、ユーザのタップ、フリック、ピンチ、スワイプなどの指の位置や動きによるジェスチャ操作を操作入力信号に変換して制御手段１５に入力する。
【００１６】
マイク１２は、本発明の音声入力手段の一例であり、ユーザが発する所定の音声を音声操作として音声入力信号に変換して制御手段１５に入力する。
【００１７】
外部接続端子１３は、例えばＵＳＢコネクタなどからなり、外部の記憶装置（本発明の外部記憶媒体の一例であって、記憶装置を備える機器を含む）と接続して、後述するカスタマイズ機能に用いて表示手段１７で表示する種々の画像データやスピーカ１８で出力する種々の音声データを取得可能とするものである。
【００１８】
通信手段１４は、インターネットなどの外部通信ネットワーク（本発明の外部記憶媒体の一例であって、図示しない）と無線通信可能な送受信部を備えるものであり、前記外部通信ネットワークから共同情報としての画像データや音声データ、天候情報や道路情報などを取得可能とするものである。なお、通信手段１４は、携帯電話などの通信機器と近距離無線通信可能とし、この通信機器を介して前記外部通信ネットワークと接続されるものであってもよい。
【００１９】
制御手段１５は、ＲＯＭ、ＣＰＵ、ＲＡＭ及び入出力インターフェイス等を有するマイクロコンピュータからなり、本実施形態の場合、詳細図示は省略するが、表示装置１０に備えられる回路基板に実装され、ＥＣＵ２０、エアコン装置３０、オーディオ装置４０及びナビゲーション装置５０から取得した車両情報、空調管理情報、音響管理情報及びナビゲーション情報に基づいて記憶手段１６から画像データを取得し、この画像データを表示手段１７に出力して表示手段１７を表示制御し、少なくとも車両情報を含む画像を表示させる。また、制御手段１５は、タッチパネル１１のジェスチャ操作に伴う前記操作入力信号及びマイク１２の音声操作に伴う前記音声入力信号を受信可能に設けられ、前記操作入力信号あるいは前記音声入力信号に基づいて表示手段１７を表示制御する。つまり、制御手段１５は、前記操作入力信号あるいは前記音声入力信号に基づいて表示手段１７の表示内容を切り換える制御を行う。
【００２０】
また、制御手段１５は、前記操作入力信号あるいは前記音声入力信号に基づいて制御対象機器であるエアコン装置３０、オーディオ装置４０あるいはナビゲーション装置５０の動作を変更することが決定された場合、表示手段１７への表示制御に加えて、制御対象機器の動作制御も行う。
【００２１】
記憶手段１６は、Ｅ２ＰＲＯＭなどの不揮発性メモリからなり、表示手段１７にて表示する画像を示す前記画像データを記憶する。
【００２２】
表示手段１７は、各種情報を表示するTFTによって駆動されるアクティブマトリクス方式の液晶ディスプレイや有機ＥＬディスプレイ等のフラットパネルディスプレイからなり、図２に示すようにインパネＤから露出する運転席から助手席に至る幅（大きさ）の大画面の表示部１７ａを有し、この表示部１７ａに少なくとも車両情報を含む画像を表示する。
【００２３】
スピーカ１８は、本発明の音声出力手段の一例であり、車両情報や車両情報に基づく警告情報、エアコン装置３０やオーディオ装置４０の設定変更情報あるいはナビゲーション情報などを音声として出力し、ユーザに報知するものである。
【００２４】
以上の構成からなる表示装置１０は、ユーザの操作に応じて表示手段１７の表示内容を変更可能なカスタマイズ機能を備える。
【００２５】
図３は、表示手段１７の初期表示状態を示すものである。初期表示状態において、表示手段１７は、表示部１７ａに画像として、車速（走行速度）を示すアナログ速度計画像１０１、エンジン回転数を示すアナログ回転計画像１０２、ウィンカーの動作を示す方向指示画像１０３、ギアポジションを示すギアポジション画像１０４、走行距離を示すデジタル距離計画像１０５（以上は車両情報を示す画像の一例である）、エアコン装置３０の送風設定や設定温度等の設定情報を示すエアコン設定画像１０６、周辺地域の天気予報情報を示す天候情報画像１０７、日時を示す時計画像１０８、外部接続端子１３を介して外部機器から取得した写真画像１０９及び画像データを呼び出すためのツールボックス画像１１０を表示している。
【００２６】
前記カスタマイズ機能は、ユーザＡの表示手段１７に表示される画像に対するジェスチャ操作によって実行される。具体的に例を挙げると、ユーザＡは、既に表示されている画像を削除（非表示とする）場合には、削除したい画像をタップし、これに応じて表示される削除アイコン（例えば「×」マーク）をタップして画像を非表示とする。また、画像のデザインを変更する場合や、新たな種類の画像を表示する場合は、ツールボックス画像１１０をタップし、図４に示すような同一の情報を表示し、デザインの異なる複数の画像や、表示可能な情報を示す画像を表示部１７ａに表示させ、これらの画像をドラッグアンドドロップすることで、画像のデザイン変更や画像の追加などを行う。なお、図４は、それぞれデザインの異なる複数の速度計画像１１１〜１１４を表示部１７ａに表示した場合の表示手段１７を示している。このほか前記カスタマイズ機能では、ジェスチャ操作によって、各画像の言語、拡大・縮小、色、形状、レイアウト（表示位置）あるいは背景などを任意にカスタマイズできる。
【００２７】
図５は、ユーザによってカスタマイズされた表示手段１７の一例を示す図である。表示手段１７は、表示部１７ａに画像として、ツールボックス画像１１０、車速を示すデジタル速度計画像１２１、エンジン回転数を示すデジタル回転計画像１２２、走行距離を示すデジタル距離計画像１２３、燃費の状態を示す燃費画像１２４、ナビゲーション装置５０によるナビゲーション情報（夜間における車両前方の撮像画像を表示するナイトビジョン情報を含む）を表示するナビゲーション画像１２５、ギアポジションを示すギアポジション画像１２６、目的地の天気予報情報を示す天候情報画像１２７、時刻を示すアナログ時計画像１２８、電子メールの送受信状態を示すメールボックス画像１２９、オーディオ装置４０の音量設定を示す音量調整画像１３０、通信手段１４の電波受信状態を示す電波受信状態画像１３１及び動画サイトなどを視聴するためのウェブブラウザのウィンドウを表示するウェブブラウザ画像１３２を表示している。なお、これらの画像は表示手段１７で表示可能な画像の一例を示すものであり、これらに限定されるものではない。
【００２８】
また、前記カスタマイズ機能においては、マイク１２を介した音声操作に基づいて、表示手段１７に表示する画像の言語及びスピーカ１８で出力する音声の言語を多言語から選択することができる。前記カスタマイズ機能における言語選択を更に詳述すると、ジェスチャ操作による場合、ユーザＡは、ツールボックス画像１１０をタップし、下位階層の機能リスト画像から言語選択機能をタップし、表示された複数の言語のうちいずれかをタップによって選択して言語の変更を行う。また、音声操作に基づく場合、ユーザＡは例えば「言語選択、日本語」などの予め音声操作として設定される特定の音声を発して言語の選択を行う。なお、表示可能な言語それぞれに変更操作を実行できる音声が音声操作として設定されるのはもちろんである。前記カスタマイズ機能における言語選択及びレイアウトの変更と、表示部１７ａが運転席から助手席（すなわち、左右の両前席）に至る大きさである表示手段１７とによって、車両の販売国に応じた言語の表示あるいは音声出力及び表示位置の設定ができ、言語やハンドルの位置が異なる多国間で容易に各国の状況に対応した表示あるいは音声出力を行うことができる。
【００２９】
以上のように、前記カスタマイズ機能によれば、タッチパネル１１を用いた直感的な操作方法でフラットディスプレイである表示手段１７の表現力を十分に活かし、ユーザの多様なニーズに対応することができる。
【００３０】
次に、前記カスタマイズ機能を含むタッチパネル１１の操作制限機能について説明する。
制御手段１５は、取得した車両情報に基づいて車両が走行中であるか否かを判定し、走行中であると判定される場合は、前記カスタマイズ機能の実行と走行中に禁止される機能（例えばナビゲーション装置５０の一部機能など）の実行を禁止する（タッチパネル１１を操作しても機能が実行されないようにする）。また、走行中でなく、パーキングブレーキがオフ状態であると判定される場合は、前記カスタマイズ機能のうち車両情報を表示する画像の変更と走行中に禁止される機能の実行を禁止し、走行中でなく、かつ、パーキングブレーキがオン状態であると判定される場合は全ての機能を実行可能とする。なお、エアコン装置３０の設定やオーディオ装置４０の設定など走行中に禁止されない機能は常時実行可能である。かかる操作制限によって、車両走行中の安全性を確保することができる。なお、本実施形態のように、表示手段１７の表示部１７ａが運転席から助手席に至る場合、上述の操作制限を行うエリアを運転席側のエリアのみに限定してもよい。中央部から助手席側までのエリアは運転者でない乗員が操作することが想定されるからである。
また、表示手段１７に表示される情報のうち、車速や走行距離など表示が義務づけられている情報について、表示の削除や縮小できるサイズに制限を設けてもよい。
【００３１】
本実施形態である表示装置１０は、少なくとも車室内の運転席から中央部（さらに望ましくは助手席）に至る大きさの表示部１７ａを有し、この表示部１７ａに少なくとも車両情報を含む画像を表示可能な表示手段１７と、表示部１７ａに表示される画像に対するジェスチャ操作が可能なタッチパネル１１と、ジェスチャ操作に応じて表示手段１７における表示内容を変更可能な制御手段１５と、を備えてなるものである。また、制御手段１５は、前記表示内容として、情報、言語、サイズ、色、形状、位置あるいは背景の少なくともいずれかを変更可能である。これによれば、タッチパネル１１を用いた直感的な操作方法でフラットディスプレイである表示手段１７の表現力を十分に活かし、ユーザの多様なニーズに対応することができる。
【００３２】
また、表示装置１０は、マイク１２とスピーカ１８とを備え、制御手段１５は、マイク１２を介して入力される所定の音声操作あるいはタッチパネル１１を介して入力されるジェスチャ操作に応じて表示手段１７及び／あるいはスピーカ１８に用いる言語を変更可能である。これによれば、多国間で容易に各国の状況に対応した表示あるいは音声出力を行うことができる。
【００３３】
また、表示装置１０は、外部記憶媒体（外部の記憶装置や外部通信ネットワークなど）から画像データ及びあるいは音声データを取得可能である。これによれば、多量のデータを用いて前記カスタマイズ機能を実行することができ、商品性を向上させることができる。
【００３４】
また、表示装置１０の制御手段１７は、車両情報に基づいて車両が走行中であるかを判定し、車両が走行中であると判定される場合は、表示手段１７の表示内容の変更を含むジェスチャ操作に応じた機能の一部あるいは全部を制限する。これによれば、上述の前記カスタマイズ機能を備える場合にも車両走行中の安全性を確保することができる。
【００３５】
以上のように、本発明の実施形態を説明したが、本発明はこれに限定されるものではなく、発明の要旨を逸脱しない範囲内で種々の変更等が可能であることはもちろんである。
【産業上の利用可能性】
【００３６】
本発明は、車両に搭載される表示装置に好適である。
【符号の説明】
【００３７】
１０    表示装置
１１    タッチパネル（操作手段）
１２    マイク（音声入力手段）
１３    外部接続端子
１４    通信手段
１５    制御手段
１６    記憶手段
１７    表示手段
１８    スピーカ（音声出力手段）
【図１】
2014008818.tif 000003
【図２】
2014008818.tif 000004
【図３】
2014008818.tif 000005
【図４】
2014008818.tif 000006
【図５】
2014008818.tif 000007